(57)【特許請求の範囲】
【請求項１】
サムターンが設けられた扉に取り付けられる組立式の開錠防止具であって、
所定の折り線に沿って折り曲げられることにより、上面が開口した箱体を構成する板状部材を備え、
前記箱体は、前記サムターンを覆うように前記扉に固定され、
前記箱体の底部には、前記サムターンの摘み部と嵌合する穴が存在し、
当該開錠防止具の組立前、前記板状部材は、平坦なシート状をしており、
前記板状部材は、前記箱体において前記底部を構成する矩形状の第１の底部領域と、前記箱体において前記第１の底部領域と共に前記底部を構成する矩形状の第２の底部領域とを有し、
前記板状部材は、前記第２の底部領域が平面視で前記第１の底部領域と重なり合うように折り曲げられることを特徴とする開錠防止具。
【請求項２】
請求項１に記載の開錠防止具において、
前記第１の底部領域には、前記箱体において前記穴を構成する第１の開口領域が設けられている開錠防止具。
【請求項３】
請求項２に記載の開錠防止具において、
前記第１の開口領域には、略直角に折り曲げられることにより前記箱体において前記穴の内周面を構成する第１のフラップ部が設けられている開錠防止具。
【請求項４】
請求項１乃至３の何れかに記載の開錠防止具において、
前記箱体において前記第１及び第２の底部領域は、互いに離間している開錠防止具。
【請求項５】
請求項１乃至４の何れかに記載の開錠防止具において、
前記第２の底部領域には、前記箱体において前記穴を構成する第２の開口領域が設けられている開錠防止具。
【請求項６】
請求項５に記載の開錠防止具において、
前記第２の開口領域には、略直角に折り曲げられることにより前記箱体において前記穴の内周面を構成する第２のフラップ部が設けられている開錠防止具。
【請求項７】
請求項１乃至６の何れかに記載の開錠防止具において、
前記板状部材は、前記箱体において前記第１及び第２の底部領域と共に前記底部を構成する矩形状の第３の底部領域を有し、
前記板状部材は、前記第３の底部領域が平面視で前記第１及び第２の底部領域と重なり合うように折り曲げられる開錠防止具。
【請求項８】
請求項７に記載の開錠防止具において、
前記第３の底部領域には、前記箱体において前記穴を構成する第３の開口領域が設けられている開錠防止具。
【請求項９】
請求項８に記載の開錠防止具において、
前記第３の開口領域には、略直角に折り曲げられることにより前記箱体において前記穴の内周面を構成する第３のフラップ部が設けられている開錠防止具。
【請求項１０】
請求項１乃至９の何れかに記載の開錠防止具において、
前記板状部材は、前記箱体において側面部を構成する矩形状の第１乃至第４の側面部領域を有し、
前記板状部材は、前記第１及び第２の側面部領域が互いに対向するとともに、前記第３及び第４の側面部領域が互いに対向するように折り曲げられる開錠防止具。
【請求項１１】
請求項１０に記載の開錠防止具において、
前記第１乃至第４の側面部領域は、前記第１の底部領域の各辺に連設されている開錠防止具。
【請求項１２】
請求項１１に記載の開錠防止具において、
前記第１の側面部領域には、第１のスリットを有する第１の固定領域が連設されており、
前記第２の側面部領域には、第２のスリットを有する第２の固定領域が連設されており、
前記箱体においては、前記第１の固定領域の前記第１のスリットと前記第２の固定領域の前記第２のスリットとが互いに係合することにより、前記第１の側面部領域と前記第２の側面部領域とが互いに固定される開錠防止具。
【請求項１３】
請求項１２に記載の開錠防止具において、
前記箱体においては、前記第１及び第２の固定領域が前記第３又は第４の側面部領域の外面に重なる開錠防止具。
【請求項１４】
請求項１乃至１３の何れかに記載の開錠防止具において、
前記板状部材は、点対称又は線対称な形状をしている開錠防止具。
【請求項１５】
請求項１乃至１４の何れかに記載の開錠防止具において、
前記箱体は、前記板状部材のみによって構成される開錠防止具。
【請求項１６】
請求項１乃至１４の何れかに記載の開錠防止具において、
前記板状部材とは別体に設けられ、当該板状部材と共に前記箱体を構成する第１の副板状部材を備え、
前記第１の副板状部材は、前記箱体において前記底部の上面を構成する矩形状の副底部領域を有し、
前記副底部領域には、前記箱体において前記穴を構成する副開口領域が設けられている開錠防止具。
【請求項１７】
請求項１６に記載の開錠防止具において、
前記副開口領域には、略直角に折り曲げられることにより前記箱体において前記穴の内周面を構成する副フラップ部が設けられている開錠防止具。
【請求項１８】
請求項１乃至１７の何れかに記載の開錠防止具において、
前記箱体は、前記上面における当該箱体の縁部が前記扉に固着されることにより、当該扉に固定される開錠防止具。
【請求項１９】
請求項１８に記載の開錠防止具において、
前記箱体の前記縁部は、当該箱体の側方外側に延出している開錠防止具。
【請求項２０】
請求項１８又は１９に記載の開錠防止具において、
前記板状部材は、前記箱体において前記縁部を構成する縁部領域を有する開錠防止具。
【請求項２１】
請求項２０に記載の開錠防止具において、
前記縁部領域には、前記扉に対して粘着力を有する粘着手段が設けられている開錠防止具。
【請求項２２】
請求項２１に記載の開錠防止具において、
前記粘着手段は、粘着テープ又は粘着ゲルである開錠防止具。
【請求項２３】
請求項２０乃至２２の何れかに記載の開錠防止具において、
前記縁部領域には、磁石が設けられている開錠防止具。
【請求項２４】
請求項１乃至２３の何れかに記載の開錠防止具において、
前記板状部材は、厚紙からなる開錠防止具。
【請求項２５】
請求項１乃至２４の何れかに記載の開錠防止具において、
当該開錠防止具は、前記扉に対して着脱可能である開錠防止具。
【請求項２６】
請求項１乃至２５の何れかに記載の開錠防止具において、
前記穴は、平面視で、第１の方向を長手方向とする第１の長方形部、及び前記第１の方向に直交する第２の方向を長手方向とする第２の長方形部からなる十字型をしている開錠防止具。
【請求項２７】
請求項２６に記載の開錠防止具において、
前記第１及び第２の長方形部は、相異なる長さを有する開錠防止具。
【請求項２８】
請求項２６又は２７に記載の開錠防止具において、
前記第１及び第２の長方形部は、相異なる幅を有する開錠防止具。
【請求項２９】
請求項１乃至２８の何れかに記載の開錠防止具において、
前記底部には、複数の前記穴が存在する開錠防止具。
【請求項３０】
請求項２９に記載の開錠防止具において、
前記複数の穴のうち少なくとも２つは、相異なる長さを有する開錠防止具。
【請求項３１】
請求項２９又は３０に記載の開錠防止具において、
前記複数の穴のうち少なくとも２つは、相異なる幅を有する開錠防止具。
【請求項３２】
請求項１乃至３１の何れかに記載の開錠防止具において、
前記板状部材とは別体に設けられ、所定の折り線に沿って折り曲げられることにより環状となる第２の副板状部材を備え、
環状に折り曲げられた前記第２の副板状部材は、前記穴の内周面に沿って隙間なく配置されるとともに、前記サムターンの前記摘み部と嵌合する開錠防止具。
【発明の詳細な説明】
【技術分野】
【０００１】
本発明は、扉の錠前が開くのを防止する開錠防止具に関する。
【背景技術】
【０００２】
従来の開錠防止具としては、例えば特許文献１に記載されたものがある。同文献に記載された開錠防止具は、サムターンが設けられた扉に固定される箱体と、箱体から上方に突出する棒状のストッパーとを備えている。箱体は、回転しようとするサムターンに対して回転方向前方からストッパーの先端が当接するように、扉の所定の位置に固定される。
【先行技術文献】
【特許文献】
【０００３】
【特許文献１】特開２００５−２３７７０号公報
【発明の概要】
【発明が解決しようとする課題】
【０００４】
上述の開錠防止具によれば、ストッパーによってサムターンの回転が阻止されるため、錠前が不正に開けられるのを防止することができる。しかしながら、この開錠防止具には、扉への取付時の位置合わせが面倒であるという問題がある。すなわち、サムターンの回転を阻止できるように、サムターンに対するストッパーの位置を微調整する必要がある。
【０００５】
本発明は、上記課題に鑑みてなされたものであり、扉への取付時の位置合わせが容易な開錠防止具を提供することを目的とする。
【課題を解決するための手段】
【０００６】
本発明による開錠防止具は、サムターンが設けられた扉に取り付けられる開錠防止具であって、所定の折り線に沿って折り曲げられることにより、上面が開口した箱体を構成する板状部材を備え、上記箱体は、上記サムターンを覆うように上記扉に固定され、上記箱体の底部には、上記サムターンの摘み部と嵌合する穴が存在することを特徴とする。
【０００７】
この開錠防止具においては、折り線に沿って板状部材を折り曲げることにより、箱体が得られる。箱体の底部には、穴が存在する。この穴にサムターンの摘み部が嵌合することにより、当該サムターンの回転が阻止されるため、錠前が開くのを防止することができる。しかも、底部の穴にサムターンの摘み部が嵌まるように当該サムターンを箱体で覆うだけで、開錠防止具を正しい位置に取り付けることができる。このため、扉への取付時の位置合わせを容易に行うことができる。
【発明の効果】
【０００８】
本発明によれば、扉への取付時の位置合わせが容易な開錠防止具が実現される。
【図面の簡単な説明】
【０００９】
【図１】本発明による開錠防止具の第１実施形態を示す平面図である。
【図２】組立後の開錠防止具１を示す斜視図である。
【図３】組立後の開錠防止具１を示す平面図である。
【図４】図３のIV−IV線に沿った端面図である。
【図５】図３のV−V線に沿った端面図である。
【図６】開錠防止具１の組立方法を説明するための図である。
【図７】開錠防止具１の組立方法を説明するための図である。
【図８】開錠防止具１の組立方法を説明するための図である。
【図９】開錠防止具１が取り付けられる扉９０を示す正面図である。
【図１０】開錠防止具１が取り付けられた状態の扉９０を示す正面図である。
【図１１】扉９０に取り付けられた開錠防止具１を示す拡大図である。
【図１２】図１１のXII−XII線に沿った端面図である。
【図１３】本発明による開錠防止具の第２実施形態を示す平面図である。
【図１４】組立後の開錠防止具２を示す斜視図である。
【図１５】組立後の開錠防止具２を示す平面図である。
【図１６】図１５のXVI−XVI線に沿った端面図である。
【図１７】図１５のXVII−XVII線に沿った端面図である。
【図１８】開錠防止具２の組立方法を説明するための図である。
【図１９】開錠防止具２の組立方法を説明するための図である。
【図２０】開錠防止具２の組立方法を説明するための図である。
【図２１】本発明による開錠防止具の第３実施形態を示す平面図である。
【図２２】組立後の開錠防止具３を示す斜視図である。
【図２３】組立後の開錠防止具３を示す平面図である。
【図２４】図２３のXXIV−XXIV線に沿った端面図である。
【図２５】図２３のXXV−XXV線に沿った端面図である。
【図２６】開錠防止具３の組立方法を説明するための図である。
【図２７】開錠防止具３の組立方法を説明するための図である。
【図２８】穴２０の一変形例を説明するための平面図である。
【図２９】穴２０の他の変形例を説明するための平面図である。
【図３０】副板状部材５００を示す平面図である。
【図３１】環状に折り曲げられた副板状部材５００を示す斜視図である。
【図３２】箱体１０において穴２０内に副板状部材５００が配置された状態を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による開錠防止具の第１実施形態を示す平面図である。開錠防止具１は、扉の錠前が開くのを防止する開錠防止具であって、サムターンが設けられた扉に取り付けられる。詳細には、開錠防止具１は、組立式の開錠防止具であって、組立後に扉に取り付けられる。図１は、組立前の開錠防止具１を示している。
【００１２】
図２及び図３は、それぞれ、組立後の開錠防止具１を示す斜視図及び平面図である。ただし、図３においては、後述する補強領域１８１，１８２の図示を省略している。図４及び図５は、それぞれ、図３のIV−IV線及びV−V線に沿った端面図である。
【００１３】
開錠防止具１は、図１に示すように、板状部材１００を備えている。板状部材１００は、厚紙からなっている。板状部材１００は、平坦なシート状をしており、１枚の厚紙から形成されている。板状部材１００は、所定の折り線（後述する山折線及び谷折線）に沿って折り曲げられることにより、図２〜図５に示す箱体１０を構成する。折り線には、当該折り線に沿って板状部材１００を折り曲げやすいように、折り筋が予め形成されていることが好ましい。本実施形態において箱体１０は、１枚の板状部材１００のみによって構成される。
【００１４】
箱体１０は、底部１２及び側面部１４を有している。本実施形態において底部１２は、平面視で矩形をしている。これに伴い、側面部１４は、底部１２の４辺のそれぞれから立設する４枚の平板からなっている。箱体１０の上面は、開口している。当該開口部の各辺の長さは、例えば、４〜８ｃｍ程度である。
【００１５】
箱体１０は、後述するとおり、サムターンを覆うように扉に固定される。具体的には、箱体１０は、上面（開口面）における当該箱体１０の縁部１６が扉に固着されることにより、扉に固定される。本実施形態において縁部１６には、扉に対して粘着力を有する粘着手段（図示せず）が設けられている。かかる粘着手段を介して縁部１６を扉板に貼着することができる。粘着手段としては、例えば、粘着テープ又は粘着ゲルを用いることができる。縁部１６は、箱体１０の側方外側に延出している。すなわち、縁部１６は、側面部１４の上端から箱体１０の外側に向かって張り出すように設けられている。
【００１６】
箱体１０の底部１２には、サムターンの摘み部と嵌合する穴２０が存在する。穴２０は、サムターンの摘み部と隙間なく嵌合するものであってもよいし、隙間を空けて嵌合するものであってもよい。本実施形態において穴２０は、平面視で、細長い長方形状をしている（図３参照）。穴２０の長辺の長さは、例えば、３〜４ｃｍ程度である。また、穴２０の短辺の長さは、例えば、０．５〜１．５ｃｍ程度である。穴２０は、底部１２の中央に位置している。この穴２０は、底部１２を貫通している。
【００１７】
開錠防止具１は、扉に対して着脱可能であることが好ましい。ここで、着脱可能とは、扉や開錠防止具１を汚損することなく、扉に対する開錠防止具１の取付け及び取外しを容易に行えるということである。例えばネジを用いて開錠防止具１を扉に取り付けるような場合、ネジ穴により扉が損傷を受けるため、開錠防止具１が着脱可能であるとはいえない。
【００１８】
図１に戻って、板状部材１００は、底部領域１２１〜１２３、側面部領域１４１〜１４４、及び縁部領域１６１〜１６４を有している。各底部領域１２１〜１２３、各側面部領域１４１〜１４４、及び各縁部領域１６１〜１６４は、矩形状をしている。板状部材１００は、点対称な形状をしている。
【００１９】
底部領域１２１（第１の底部領域）は、箱体１０において底部１２を構成する。底部領域１２１の各辺の長さは、例えば、４〜８ｃｍ程度である。底部領域１２１には、開口領域１３１（第１の開口領域）が設けられている。開口領域１３１は、箱体１０において穴２０を構成する。開口領域１３１は、細長い長方形状をしている。開口領域１３１の長辺の長さは、例えば、３〜４ｃｍ程度である。また、開口領域１３１の短辺の長さは、例えば、０．５〜１．５ｃｍ程度である。本実施形態において開口領域１３１には、２つのフラップ部１３１ａ（第１のフラップ部）が設けられている。組立前、開口領域１３１は、これらのフラップ部１３１ａによって閉塞された状態にある。
【００２０】
フラップ部１３１ａは、略直角に折り曲げられることにより、箱体１０において穴２０の内周面を構成する。詳細には、開口領域１３１の短辺上に切込線Ｃ１１ａ，Ｃ１１ｂが設けられるとともに、切込線Ｃ１１ａの中点と切込線Ｃ１１ｂの中点とを結ぶように切込線Ｃ１１ｃが設けられている。また、開口領域１３１の長辺上には、山折線Ｍ１１ａ，Ｍ１１ｂが設けられている。組立時、切込線Ｃ１１ａ，Ｃ１１ｂ，Ｃ１１ｃに沿って切目が入った状態で、山折線Ｍ１１ａ，Ｍ１１ｂを略直角に山折りすることにより、開口領域１３１に開口が形成される。なお、本実施形態においては、板状部材１００内の全ての切込線に沿って予め切目が入っている。
【００２１】
底部領域１２１の各辺には、側面部領域１４１〜１４４が連設されている。これらの側面部領域１４１〜１４４は、箱体１０において側面部１４を構成する。具体的には、底部領域１２１の上辺、下辺、右辺及び左辺に、それぞれ、側面部領域１４１（第１の側面部領域）、側面部領域１４２（第２の側面部領域）、側面部領域１４３（第３の側面部領域）及び側面部領域１４４（第４の側面部領域）が連設されている。底部領域１２１と側面部領域１４１との境界（底部領域１２１の上辺）上には、谷折線Ｖ１１ａが設けられている。底部領域１２１と側面部領域１４２との境界（底部領域１２１の下辺）上には、谷折線Ｖ１１ｂが設けられている。底部領域１２１と側面部領域１４３との境界（底部領域１２１の右辺）上には、谷折線Ｖ１１ｃが設けられている。また、底部領域１２１と側面部領域１４４との境界（底部領域１２１の左辺）上には、谷折線Ｖ１１ｂが設けられている。
【００２２】
板状部材１００は、側面部領域１４１及び側面部領域１４２が互いに対向するとともに、側面部領域１４３及び側面部領域１４４が互いに対向するように折り曲げられる。具体的には、側面部領域１４１〜側面部領域１４４が底部領域１２１に対して起きるように、谷折線Ｖ１１ａ，Ｖ１１ｂ，Ｖ１１ｃ，Ｖ１１ｄが直角に谷折りされる。これにより、側面部１４が形成される。
【００２３】
側面部領域１４１〜１４４には、それぞれ縁部領域１６１〜１６４が連設されている。具体的には、側面部領域１４１の上辺に縁部領域１６１が連設され、側面部領域１４２の下辺に縁部領域１６２が連設され、側面部領域１４３の右辺に縁部領域１６３が連設され、側面部領域１４４の左辺に縁部領域１６４が連設されている。これらの縁部領域１６１〜１６４は、箱体１０において縁部１６を構成する。各縁部領域１６１〜１６４には、上述の粘着手段が設けられている。側面部領域１４１と縁部領域１６１との境界上には、山折線Ｍ１４ａが設けられている。側面部領域１４２と縁部領域１６２との境界上には、山折線Ｍ１４ｂが設けられている。側面部領域１４３と縁部領域１６３との境界上には、山折線Ｍ１４ｃが設けられている。また、側面部領域１４４と縁部領域１６４との境界上には、山折線Ｍ１４ｄが設けられている。
【００２４】
底部領域１２２（第２の底部領域）は、箱体１０において底部領域１２１と共に底部１２を構成する。底部領域１２２は、側面部領域１４１及び側面部領域１４４の双方に隣接する位置（底部領域１２１の左上）に設けられている。底部領域１２２と側面部領域１４１及び縁部領域１６１との境界上には、切込線Ｃ１２ｄが設けられている。切込線Ｃ１２ｄは、当該境界の全体にわたって設けられている。底部領域１２２と側面部領域１４４及び縁部領域１６４との境界上には、切込線Ｃ１２ｅ及び谷折線Ｖ１２が設けられている。切込線Ｃ１２ｅは、当該境界の左端から当該境界の途中まで延びている。ただし、切込線Ｃ１２ｅの右端は、底部領域１２２と側面部領域１４４との境界上に存在する。谷折線Ｖ１２は、切込線Ｃ１２ｅの右端から上記境界の右端まで延びている。谷折線Ｖ１２の長さは、例えば、５〜１０ｍｍ程度である。
【００２５】
底部領域１２２内には、山折線Ｍ１２ｃ，Ｍ１２ｄが設けられている。山折線Ｍ１２ｃは、底部領域１２２の右辺の近傍において、当該右辺と平行に底部領域１２２の上辺から下辺まで延びている。山折線Ｍ１２ｃの下端は、切込線Ｃ１２ｅの右端（谷折線Ｖ１２の左端）に一致する。それゆえ、底部領域１２２の右辺と山折線Ｍ１２ｃとの間隔は、谷折線Ｖ１２の長さに等しい。山折線Ｍ１２ｄは、底部領域１２２の左辺の近傍において、当該左辺と平行に底部領域１２２の上辺から下辺まで延びている。底部領域１２２の左辺と山折線Ｍ１２ｄとの間隔は、底部領域１２２の右辺と山折線Ｍ１２ｃとの間隔に等しい。山折線Ｍ１２ｃと山折線Ｍ１２ｄとの間隔は、底部領域１２１の左右方向の長さ（各谷折線Ｖ１１ａ，Ｖ１１ｂの長さ）に等しい。また、底部領域１２２の上下方向の長さは、底部領域１２１の上下方向の長さに等しい。
【００２６】
底部領域１２２には、開口領域１３２（第２の開口領域）が設けられている。開口領域１３２は、箱体１０において開口領域１３１と共に穴２０を構成する。開口領域１３２は、開口領域１３１と略同一の形状及び大きさを有している。本実施形態において開口領域１３２には、２つのフラップ部１３２ａ（第２のフラップ部）が設けられている。組立前、開口領域１３２は、これらのフラップ部１３２ａによって閉塞された状態にある。
【００２７】
フラップ部１３２ａは、略直角に折り曲げられることにより、箱体１０において穴２０の内周面を構成する。詳細には、開口領域１３２の短辺上に切込線Ｃ１２ａ，Ｃ１２ｂが設けられるとともに、切込線Ｃ１２ａの中点と切込線Ｃ１２ｂの中点とを結ぶように切込線Ｃ１２ｃが設けられている。また、開口領域１３２の長辺上には、山折線Ｍ１２ａ，Ｍ１２ｂが設けられている。組立時、切込線Ｃ１２ａ，Ｃ１２ｂ，Ｃ１２ｃに沿って切目が入った状態で、山折線Ｍ１２ａ，Ｍ１２ｂを略直角に山折りすることにより、開口領域１３２に開口が形成される。
【００２８】
板状部材１００は、底部領域１２２が平面視で底部領域１２１と重なり合うように折り曲げられる。具体的には、底部領域１２２が側面部領域１４４上に折り返されるように谷折線Ｖ１２が１８０°谷折りされるとともに、山折線Ｍ１２ｃ，Ｍ１２ｄが略直角に山折りされる。これにより、側面部領域１４４を起こしたときに、底部領域１２１及び底部領域１２２が平面視で重なり合うようになる。このとき、開口領域１３１及び開口領域１３２も平面視で重なり合う。ただし、底部領域１２１と底部領域１２２との間には、谷折線Ｖ１２の長さに等しい間隔が生じる。すなわち、箱体１０において底部領域１２１及び底部領域１２２は、互いに離間している。
【００２９】
底部領域１２３（第３の底部領域）は、箱体１０において底部領域１２１及び底部領域１２２と共に底部１２を構成する。底部領域１２３は、側面部領域１４２及び側面部領域１４３の双方に隣接する位置（底部領域１２１の右下）に設けられている。底部領域１２３と側面部領域１４２及び縁部領域１６２との境界上には、切込線Ｃ１３ｄが設けられている。切込線Ｃ１３ｄは、当該境界の全体にわたって設けられている。底部領域１２３と側面部領域１４３及び縁部領域１６３との境界上には、切込線Ｃ１３ｅ及び谷折線Ｖ１３が設けられている。切込線Ｃ１３ｅは、当該境界の右端から当該境界の途中まで延びている。ただし、切込線Ｃ１３ｅの左端は、底部領域１２３と側面部領域１４３との境界上に存在する。谷折線Ｖ１３は、切込線Ｃ１３ｅの左端から上記境界の左端まで延びている。谷折線Ｖ１３の長さは、谷折線Ｖ１２の長さに略等しい。
【００３０】
底部領域１２３内には、山折線Ｍ１３ｃ，Ｍ１３ｄが設けられている。山折線Ｍ１３ｃは、底部領域１２３の左辺の近傍において、当該左辺と平行に底部領域１２３の上辺から下辺まで延びている。山折線Ｍ１３ｃの上端は、切込線Ｃ１３ｅの左端（谷折線Ｖ１３の右端）に一致する。それゆえ、底部領域１２３の左辺と山折線Ｍ１３ｃとの間隔は、谷折線Ｖ１３の長さに等しい。山折線Ｍ１３ｄは、底部領域１２３の右辺の近傍において、当該右辺と平行に底部領域１２３の上辺から下辺まで延びている。底部領域１２３の右辺と山折線Ｍ１３ｄとの間隔は、底部領域１２３の左辺と山折線Ｍ１３ｃとの間隔に等しい。山折線Ｍ１３ｃと山折線Ｍ１３ｄとの間隔は、底部領域１２１の左右方向の長さに等しい。また、底部領域１２３の上下方向の長さは、底部領域１２１の上下方向の長さに等しい。
【００３１】
底部領域１２３には、開口領域１３３（第３の開口領域）が設けられている。開口領域１３３は、箱体１０において開口領域１３１及び開口領域１３２と共に穴２０を構成する。開口領域１３３は、開口領域１３１と略同一の形状及び大きさを有している。本実施形態において開口領域１３３には、２つのフラップ部１３３ａ（第３のフラップ部）が設けられている。組立前、開口領域１３３は、これらのフラップ部１３３ａによって閉塞された状態にある。
【００３２】
フラップ部１３３ａは、略直角に折り曲げられることにより、箱体１０において穴２０の内周面を構成する。詳細には、開口領域１３３の短辺上に切込線Ｃ１３ａ，Ｃ１３ｂが設けられるとともに、切込線Ｃ１３ａの中点と切込線Ｃ１３ｂの中点とを結ぶように切込線Ｃ１３ｃが設けられている。また、開口領域１３３の長辺上には、山折線Ｍ１３ａ，Ｍ１３ｂが設けられている。組立時、切込線Ｃ１３ａ，Ｃ１３ｂ，Ｃ１３ｃに沿って切目が入った状態で、山折線Ｍ１３ａ，Ｍ１３ｂを略直角に山折りすることにより、開口領域１３３に開口が形成される。
【００３３】
板状部材１００は、底部領域１２３が平面視で底部領域１２１及び底部領域１２２と重なり合うように折り曲げられる。具体的には、底部領域１２３が側面部領域１４３上に折り返されるように谷折線Ｖ１３が１８０°谷折りされるとともに、山折線Ｍ１３ｃ，Ｍ１３ｄが略直角に山折りされる。これにより、側面部領域１４３を起こしたときに、底部領域１２１〜１２３が平面視で重なり合うようになる。このとき、開口領域１３１〜１３３も平面視で重なり合う。
【００３４】
さらに、板状部材１００は、補強領域１８１，１８２を有している。これらの補強領域１８１，１８２は、箱体１０において底部１２を覆う。補強領域１８１は、側面部領域１４１及び側面部領域１４３の双方に隣接する位置（底部領域１２１の右上）に設けられている。補強領域１８１と側面部領域１４１及び縁部領域１６１との境界上には、切込線Ｃ１５ａ及び谷折線Ｖ１５が設けられている。切込線Ｃ１５ａは、当該境界の上端から当該境界の途中まで延びている。ただし、切込線Ｃ１５ａの下端は、補強領域１８１と側面部領域１４１との境界上に存在する。谷折線Ｖ１５は、切込線Ｃ１５ａの下端から上記境界の下端まで延びている。谷折線Ｖ１５の長さは、各谷折線Ｖ１２，１３の長さに略等しい。補強領域１８１と側面部領域１４３及び縁部領域１６３との境界上には、切込線Ｃ１５ｂが設けられている。切込線Ｃ１５ｂは、当該境界の全体にわたって設けられている。
【００３５】
補強領域１８１は、切欠部１８１ａ及び舌片１８１ｂを有している。切欠部１８１ａは、矩形状をしており、補強領域１８１の上辺から補強領域１８１の下辺に向かって延びている。切欠部１８１ａは、箱体１０において穴２０の一部に重なる。切欠部１８１ａの幅は、各開口領域１３１〜１３３の幅に略等しい。舌片１８１ｂは、矩形状をしており、切欠部１８１ａに向かって延出している。舌片１８１ｂの上辺は、切欠部１８１ａの下端に一致する。舌片１８１ｂの左辺及び右辺上には、それぞれ、切込線Ｃ１５ｃ及び切込線Ｃ１５ｄが設けられている。また、舌片１８１ｂの下辺上には、山折線Ｍ１５ａが設けられている。
【００３６】
補強領域１８１内には、山折線Ｍ１５ｂが設けられている。山折線Ｍ１５ｂは、補強領域１８１の下辺の近傍において、当該下辺と平行に補強領域１８１の右辺から左辺まで延びている。山折線Ｍ１５ｂの左端は、切込線Ｃ１５ａの下端（谷折線Ｖ１５の上端）に一致する。それゆえ、補強領域１８１の下辺と山折線Ｍ１５ｂとの間隔は、谷折線Ｖ１５の長さに等しい。
【００３７】
補強領域１８２は、側面部領域１４２及び側面部領域１４４の双方に隣接する位置（底部領域１２１の左下）に設けられている。補強領域１８２と側面部領域１４２及び縁部領域１６２との境界上には、切込線Ｃ１６ａ及び谷折線Ｖ１６が設けられている。切込線Ｃ１６ａは、当該境界の下端から当該境界の途中まで延びている。ただし、切込線Ｃ１６ａの上端は、補強領域１８２と側面部領域１４２との境界上に存在する。谷折線Ｖ１６は、切込線Ｃ１６ａの上端から上記境界の上端まで延びている。谷折線Ｖ１６の長さは、谷折線Ｖ１５の長さに略等しい。補強領域１８２と側面部領域１４４及び縁部領域１６４との境界上には、切込線Ｃ１６ｂが設けられている。切込線Ｃ１６ｂは、当該境界の全体にわたって設けられている。
【００３８】
補強領域１８２は、切欠部１８２ａ及び舌片１８２ｂを有している。切欠部１８２ａは、矩形状をしており、補強領域１８２の下辺から補強領域１８２の上辺に向かって延びている。切欠部１８２ａは、箱体１０において穴２０の一部に重なる。切欠部１８２ａの幅は、各開口領域１３１〜１３３の幅に略等しい。舌片１８２ｂは、矩形状をしており、切欠部１８２ａに向かって延出している。舌片１８２ｂの下辺は、切欠部１８２ａの上端に一致する。舌片１８２ｂの右辺及び左辺上には、それぞれ、切込線Ｃ１６ｃ及び切込線Ｃ１６ｄが設けられている。また、舌片１８２ｂの上辺上には、山折線Ｍ１６ａが設けられている。
【００３９】
補強領域１８２内には、山折線Ｍ１６ｂが設けられている。山折線Ｍ１６ｂは、補強領域１８２の上辺の近傍において、当該上辺と平行に補強領域１８２の左辺から右辺まで延びている。山折線Ｍ１６ｂの右端は、切込線Ｃ１６ａの上端（谷折線Ｖ１６の下端）に一致する。それゆえ、補強領域１８２の上辺と山折線Ｍ１６ｂとの間隔は、谷折線Ｖ１６の長さに等しい。
【００４０】
図６〜図８を参照しつつ、開錠防止具１の組立方法の一例を説明する。まず、山折線Ｍ１１ａ，Ｍ１１ｂ，Ｍ１２ａ，Ｍ１２ｂ，Ｍ１３ａ，Ｍ１３ｂを略直角に山折りすることにより、各開口領域１３１〜１３３に開口を形成する。そして、底部領域１２２が側面部領域１４４上に折り返されるように、谷折線Ｖ１２を１８０°谷折りする。また、山折線Ｍ１２ｃ，Ｍ１２ｄを略直角に山折りする。その後、側面部領域１４４が底部領域１２１に対して起きるように、谷折線Ｖ１１ｄを直角に谷折りする。また、山折線Ｍ１４ｄを直角に山折りする。これにより、図６に示すように、底部領域１２２が平面視で底部領域１２１と重なり合った状態となる。
【００４１】
次に、底部領域１２３が側面部領域１４３上に折り返されるように、谷折線Ｖ１３を１８０°谷折りする。また、山折線Ｍ１３ｃ，Ｍ１３ｄを略直角に山折りする。その後、側面部領域１４３が底部領域１２１に対して起きるように、谷折線Ｖ１１ｃを直角に谷折りする。また、山折線Ｍ１４ｃを直角に山折りする。これにより、図７に示すように、底部領域１２３が平面視で底部領域１２１及び底部領域１２２と重なり合った状態となる。
【００４２】
続いて、補強領域１８１が側面部領域１４１上に折り返されるように、谷折線Ｖ１５を１８０°谷折りする。また、山折線Ｍ１５ａ，Ｍ１５ｂを略直角に山折りする。その後、側面部領域１４１が底部領域１２１に対して起きるように、谷折線Ｖ１１ａを直角に谷折りする。また、山折線Ｍ１４ａを直角に山折りする。これにより、図８に示すように、底部領域１２１〜１２３から構成される底部１２の一部が補強領域１８１で覆われた状態となる。このとき、舌片１８１ｂが穴２０の内部に入り込むようにする。なお、側面部領域１４１は、粘着テープ等を用いて各側面部領域１４３，１４４に固定される。
【００４３】
最後に、補強領域１８２が側面部領域１４２上に折り返されるように、谷折線Ｖ１６を１８０°谷折りする。また、山折線Ｍ１６ａ，Ｍ１６ｂを略直角に山折りする。その後、側面部領域１４２が底部領域１２１に対して起きるように、谷折線Ｖ１１ｂを直角に谷折りする。また、山折線Ｍ１４ｂを直角に山折りする。これにより、底部１２の残部（補強領域１８１で覆われていない部分）が補強領域１８２で覆われた状態となる。このとき、舌片１８２ｂが穴２０の内部に入り込むようにする。なお、側面部領域１４２は、粘着テープ等を用いて各側面部領域１４３，１４４に固定される。以上により、開錠防止具１が得られる。
【００４４】
図９〜図１２を参照しつつ、開錠防止具１の使用方法の一例を説明する。図９は、開錠防止具１が取り付けられる扉９０を示している。同図は、扉９０の内側（室内側）の面を示している。扉９０には、サムターン９２が設けられている。開錠防止具１を取り付けるには、図１０に示すように、サムターン９２の全体を覆うようにして箱体１０を扉に固定すればよい。このとき、図１１及び図１２に示すように、穴２０にサムターン９２の摘み部９３が嵌まるようにする。図１１は、扉９０に取り付けられた開錠防止具１を示す拡大図である。また、図１２は、図１１のXII−XII線に沿った端面図である。ただし、図１２においては、見やすくするため、底部１２を簡略化して示している。このように開錠防止具１が取り付けられた扉９０においては、穴２０によって摘み部９３の回動が規制される。このため、サムターン９２の回転が阻止され、錠前を開けることができなくなる。
【００４５】
開錠防止具１の効果を説明する。開錠防止具１においては、折り線に沿って板状部材１００を折り曲げることにより、箱体１０が得られる。箱体１０の底部１２には、穴２０が存在する。穴２０にサムターンの摘み部が嵌合することにより、当該サムターンの回転が阻止されるため、錠前が開くのを防止することができる。しかも、底部１２の穴２０にサムターンの摘み部が嵌まるように当該サムターンを箱体１０で覆うだけで、開錠防止具１を正しい位置に取り付けることができる。このため、扉への取付時の位置合わせを容易に行うことができる。したがって、扉への取付時の位置合わせが容易な開錠防止具１が実現されている。
【００４６】
開錠防止具１において箱体１０は、板状部材１００を組み立てることにより得られる。それゆえ、組立前の開錠防止具１は、平面的な形状をしている。このため、開錠防止具１は、収納時や運搬時に嵩張りにくい。
【００４７】
また、開錠防止具１は、箱体１０でサムターンを覆うようにして扉に取り付けられる。これにより、扉における開錠防止具１が取り付けられる範囲をサムターン近傍の比較的狭い領域に限定することができる。このように開錠防止具１の取付範囲をサムターン近傍の狭い領域に限定できれば、開錠防止具１を取り付ける際、扉に設けられた他の構造物（ドアノブ、ドアチェーン等）が邪魔になりにくいという利点がある。
【００４８】
開錠防止具１が扉に対して着脱可能である場合、扉を汚損する心配がないため、開錠防止具１は、賃貸住宅や外出先においても気軽に使用することができる。例えば、旅行時の宿泊先において、扉のセキュリティに不安がある場合であっても、扉の内側に開錠防止具１を取り付けておけば、扉の外側から開錠されてしまう事態を避けることができる。
【００４９】
箱体１０は、縁部１６が扉に固着されることにより、扉に固定される。このように箱体１０の一部分（縁部１６）を扉への固定面とすることにより、固定用のアタッチメントを用いることなく箱体１０を扉に固定することができる。これにより、簡易な構成の開錠防止具１を実現することができる。実際、本実施形態において開錠防止具１は、箱体１０（板状部材１００）のみからなっている。
【００５０】
縁部１６（縁部領域１６１〜１６４）には、粘着手段が設けられている。このように粘着手段を予め設けておくことにより、箱体１０を扉に固着するための手段を別途用意しなくても、箱体１０を扉に固着することができる。
【００５１】
縁部１６は、箱体１０の側方外側に延出している。これにより、縁部１６の面積を大きくすることができる。このように扉への固定面となる縁部１６の面積を大きくすることにより、箱体１０を扉に対して強固に固定しやすくなる。
【００５２】
穴２０は、底部１２を貫通している。このため、開錠防止具１を取り付ける際、穴２０を通じて、箱体１０の外からでも箱体１０で覆われたサムターンを視認することができる。これにより、穴２０にサムターンの摘み部を合わせやすくなるため、開錠防止具１の取付時の位置合わせが一層容易になる。
【００５３】
開口領域１３１には、フラップ部１３１ａが設けられている。この場合、フラップ部１３１ａが設けられていない場合に比して、サムターンの摘み部に対する穴２０の接触面積が大きくなるため、サムターンの回転を一層確実に阻止できるようになる。ただし、フラップ部１３１ａを設けることは、必須でない。
【００５４】
板状部材１００は、底部領域１２１に加えて底部領域１２２を有しており、底部領域１２２が平面視で底部領域１２１と重なり合うように折り曲げられる。この場合、底部領域１２２が設けられていない場合に比して、底部１２の厚み、ひいては穴２０の深さを大きくすることができる。これにより、サムターンの摘み部に対する穴２０の接触面積が大きくなり、サムターンの回転を一層確実に阻止できるようになる。
【００５５】
箱体１０において底部領域１２１及び底部領域１２２は、互いに離間している。この場合、両者が離間していない場合に比して、底部１２の厚み、ひいては穴２０の深さを一層大きくすることができる。
【００５６】
開口領域１３２には、フラップ部１３２ａが設けられている。この場合、フラップ部１３２ａが設けられていない場合に比して、サムターンの摘み部に対する穴２０の接触面積が大きくなるため、サムターンの回転を一層確実に阻止できるようになる。ただし、フラップ部１３２ａを設けることは、必須でない。
【００５７】
板状部材１００は、底部領域１２１，１２２に加えて底部領域１２３を有しており、底部領域１２３が平面視で底部領域１２１，１２２と重なり合うように折り曲げられる。この場合、底部領域１２３が設けられていない場合に比して、底部１２の厚み、ひいては穴２０の深さを大きくすることができる。
【００５８】
開口領域１３３には、フラップ部１３３ａが設けられている。この場合、フラップ部１３３ａが設けられていない場合に比して、サムターンの摘み部に対する穴２０の接触面積が大きくなるため、サムターンの回転を一層確実に阻止できるようになる。ただし、フラップ部１３３ａを設けることは、必須でない。
【００５９】
板状部材１００は、底部領域１２１の各辺に連設された側面部領域１４１〜１４４を有している。かかる構成により、底部領域１２１の各辺に沿って板状部材１００を折り曲げるだけで、側面部領域１４１〜１４４からなる側面部１４を容易に形成することができる。
【００６０】
板状部材１００は、縁部領域１６１〜１６４を有している。これにより、縁部１６の面積を大きくしやすくなる。このように扉への固定面となる縁部１６の面積を大きくすることにより、上述のとおり、箱体１０を扉に対して強固に固定しやすくなる。
【００６１】
板状部材１００は、点対称な形状をしている。これにより、板状部材１００の美観を高めることができる。また、組立時に対称的な動作が増えるため、組立作業が簡易になる。例えば、上述の組立方法において、底部領域１２２を側面部領域１４４上に折り返してから底部領域１２１と重なり合うようにするまでの一連の動作と、底部領域１２３を側面部領域１４３上に折り返してから底部領域１２１，１２２と重なり合うようにするまでの一連の動作とは、対称的である。
【００６２】
板状部材１００は、補強領域１８１，１８２を有している。これにより、箱体１０においては底部１２が補強領域１８１，１８２で覆われるため、底部１２の強度を高めることができる。
【００６３】
箱体１０は、板状部材１００のみによって構成されている。この場合、箱体１０が互いに別体に設けられた複数のパーツによって構成される場合と異なり、パーツの一部を紛失等する心配がないという利点がある。
【００６４】
板状部材１００は、厚紙からなっている。これにより、板状部材１００を折り曲げやすくなるため、開錠防止具１の組立てが容易になる。
（第２実施形態）
【００６５】
図１３は、本発明による開錠防止具の第２実施形態を示す平面図である。開錠防止具２は、扉の錠前が開くのを防止する開錠防止具であって、サムターンが設けられた扉に取り付けられる。詳細には、開錠防止具２は、組立式の開錠防止具であって、組立後に扉に取り付けられる。図１３は、組立前の開錠防止具２を示している。
【００６６】
図１４及び図１５は、それぞれ、組立後の開錠防止具２を示す斜視図及び平面図である。また、図１６及び図１７は、それぞれ、図１５のXVI−XVI線及びXVII−XVII線に沿った端面図である。
【００６７】
開錠防止具２は、図１３に示すように、板状部材２００を備えている。板状部材２００は、厚紙からなっている。板状部材２００は、所定の折り線に沿って折り曲げられることにより、図１４〜図１７に示す箱体１０を構成する。本実施形態において箱体１０は、１枚の板状部材２００のみによって構成される。箱体１０の概略構成は、第１実施形態で説明したとおりである。
【００６８】
板状部材２００は、底部領域１２１，１２２、側面部領域１４１〜１４４、及び縁部領域１６１ａ，１６１ｂ，１６２，１６３，１６４を有している。これらのうち底部領域１２１，１２２、側面部領域１４１〜１４４、及び縁部領域１６２〜１６４の構成は、第１実施形態で説明したとおりである。
【００６９】
本実施形態において側面部領域１４１には、縁部領域１６１ａが連設されている。縁部領域１６１ａには、縁部領域１６１ｂが連設されている。具体的には、側面部領域１４１の上辺に縁部領域１６１ａが連設され、縁部領域１６１ａの上辺に縁部領域１６１ｂが連設されている。各縁部領域１６１ａ，１６１ｂは、矩形状をしている。これらの縁部領域１６１ａ，１６１ｂは、箱体１０において、互いに重なり合った状態で縁部１６を構成する。縁部領域１６１ｂの裏面には、粘着手段が設けられている。側面部領域１４１と縁部領域１６１ａとの境界上には、山折線Ｍ１４ａが設けられている。縁部領域１６１ａと縁部領域１６１ｂとの境界上には、谷折線Ｖ１４ａが設けられている。
【００７０】
縁部領域１６１ｂには、側面被覆領域１９１が連設されている。具体的には、縁部領域１６１ｂの上辺に側面被覆領域１９１が連設されている。側面被覆領域１９１は、箱体１０において側面部１４（側面部領域１４１）の内面を覆う。側面被覆領域１９１においては、上辺の長さが下辺の長さよりも小さくなっている。
【００７１】
さらに、板状部材２００は、固定領域２１１（第１の固定領域）、固定領域２１２（第２の固定領域）、及び固定領域２１３を有している。固定領域２１１は、矩形状をしており、側面部領域１４１及び側面部領域１４３の双方に隣接する位置（底部領域１２１の右上）に設けられている。固定領域２１１は、側面部領域１４１の右辺に連設されている。固定領域２１１と側面部領域１４１との境界上には、谷折線Ｖ２１が設けられている。谷折線Ｖ２１は、当該境界の全体にわたって設けられている。固定領域２１１と側面部領域１４３及び縁部領域１６３との境界上には、切込線Ｃ２１が設けられている。切込線Ｃ２１は、当該境界の全体にわたって設けられている。固定領域２１１は、スリット２１１ａ（第１のスリット）を有している。スリット２１１ａは、固定領域２１１の下辺から固定領域２１１の上辺に向かって延びている。
【００７２】
固定領域２１２は、矩形状をしており、側面部領域１４２及び側面部領域１４３の双方に隣接する位置（底部領域１２１の右下）に設けられている。固定領域２１２は、側面部領域１４２の右辺に連設されている。固定領域２１２と側面部領域１４２との境界上には、谷折線Ｖ２２が設けられている。谷折線Ｖ２２は、当該境界の全体にわたって設けられている。固定領域２１２と側面部領域１４３及び縁部領域１６３との境界上には、切込線Ｃ２２が設けられている。切込線Ｃ２２は、当該境界の全体にわたって設けられている。固定領域２１２は、スリット２１２ａ（第２のスリット）を有している。スリット２１２ａは、固定領域２１２の下辺から固定領域２１２の上辺に向かって延びている。
【００７３】
スリット２１１ａ及びスリット２１２ａの長さの和は、側面部領域１４３の左右方向の長さ（谷折線Ｖ１１ｃと山折線Ｍ１４ｃとの間隔）に略等しい。また、スリット２１１ａと谷折線Ｖ２１との間隔、及びスリット２１２ａと谷折線Ｖ２２との間隔の和は、側面部領域１４３の上下方向の長さ（切込線Ｃ２１と切込線Ｃ２２との間隔）に略等しい。
【００７４】
箱体１０においては、固定領域２１１のスリット２１１ａと固定領域２１２のスリット２１２ａとが互いに係合することにより、側面部領域１４１と側面部領域１４２とが互いに固定される。このとき、固定領域２１１及び固定領域２１２が側面部１４（側面部領域１４３）の外面に重なる。
【００７５】
固定領域２１３は、側面部領域１４２及び側面部領域１４４の双方に隣接する位置（底部領域１２１の左下）に設けられている。固定領域２１３は、側面部領域１４２の左辺に連設されている。固定領域２１３と側面部領域１４２との境界上には、谷折線Ｖ２３ａが設けられている。谷折線Ｖ２３ａは、当該境界の全体にわたって設けられている。固定領域２１３と側面部領域１４４及び縁部領域１６４との境界上には、切込線Ｃ２３が設けられている。切込線Ｃ２３は、当該境界の全体にわたって設けられている。
【００７６】
固定領域２１３内には、谷折線Ｖ２３ｂが設けられている。谷折線Ｖ２３ｂは、谷折線Ｖ２３ａと平行に固定領域２１３の上辺から下辺まで延びている。谷折線Ｖ２３ａと谷折線Ｖ２３ｂとの間隔は、側面部領域１４４の上下方向の長さ（切込線Ｃ１２ｅと切込線Ｃ２３との間隔）に略等しい。固定領域２１３の先端部（谷折線Ｖ２３ｂよりも左側にある部分）には、爪２１３ａ，２１３ｂが設けられている。爪２１３ａの幅（上下方向の長さ）は、側面部領域１４１の上下方向の長さ（山折線Ｍ１４ａと谷折線Ｖ１１ａとの間隔）と、谷折線Ｖ１２の長さとの差に略等しい。また、爪２１３ｂの幅は、谷折線Ｖ１２の長さに略等しい。
【００７７】
箱体１０においては、爪２１３ａ，２１３ｂが側面部領域１４１と側面被覆領域１９１との間に挿入されることにより、側面部領域１４１と側面部領域１４２とが互いに固定される。詳細には、側面部領域１４１と側面被覆領域１９１との隙間のうち底部領域１２２よりも上にある部分に爪２１３ａが挿入され、当該隙間のうち底部領域１２２よりも下にある部分に爪２１３ｂが挿入される。このとき、固定領域２１３における先端部以外の部分が側面部１４（側面部領域１４４）の外面に重なる。
【００７８】
図１８〜図２０を参照しつつ、開錠防止具２の組立方法の一例を説明する。まず、山折線Ｍ１１ａ，Ｍ１１ｂ，Ｍ１２ａ，Ｍ１２ｂを略直角に山折りすることにより、各開口領域１３１，１３２に開口を形成する。そして、底部領域１２２が側面部領域１４４上に折り返されるように、谷折線Ｖ１２を１８０°谷折りする。また、山折線Ｍ１２ｃ，Ｍ１２ｄを略直角に山折りする。その後、側面部領域１４４が底部領域１２１に対して起きるように、谷折線Ｖ１１ｄを直角に谷折りする。また、山折線Ｍ１４ｄを直角に山折りする。これにより、図１８に示すように、底部領域１２２が平面視で底部領域１２１と重なり合った状態となる。
【００７９】
次に、側面部領域１４１，１４３が底部領域１２１に対して起きるように、谷折線Ｖ１１ａ，Ｖ１１ｃを直角に谷折りする。また、山折線Ｍ１４ａ，Ｍ１４ｃを直角に山折りする。さらに、谷折線Ｖ１４ａを１８０°谷折りするとともに、谷折線Ｖ１４ｂを直角に谷折りする。これにより、図１９に示すように、側面被覆領域１９１が側面部領域１４１の内面を覆った状態となる。
【００８０】
続いて、側面部領域１４２が底部領域１２１に対して起きるように、谷折線Ｖ１１ｂを直角に谷折りする。また、山折線Ｍ１４ｂを直角に山折りする。その後、固定領域２１１のスリット２１１ａと固定領域２１２のスリット２１２ａとを係合させながら、谷折線Ｖ２１，Ｖ２２を直角に谷折りする。これにより、図２０に示すように、固定領域２１１，２１２を介して側面部領域１４１と側面部領域１４２とが互いに固定された状態となる。
【００８１】
最後に、爪２１３ａ，２１３ｂを側面部領域１４１と側面被覆領域１９１との間に挿入しながら、谷折線Ｖ２３ａ，Ｖ２３ｂを直角に谷折りする。これにより、固定領域２１３を介して側面部領域１４１と側面部領域１４２とが互いに固定された状態となる。以上により、開錠防止具２が得られる。
【００８２】
開錠防止具２の効果を説明する。開錠防止具２においては、折り線に沿って板状部材２００を折り曲げることにより、箱体１０が得られる。箱体１０の底部１２には、穴２０が存在する。穴２０にサムターンの摘み部が嵌合することにより、当該サムターンの回転が阻止されるため、錠前が開くのを防止することができる。しかも、底部１２の穴２０にサムターンの摘み部が嵌まるように当該サムターンを箱体１０で覆うだけで、開錠防止具２を正しい位置に取り付けることができる。このため、扉への取付時の位置合わせを容易に行うことができる。したがって、扉への取付時の位置合わせが容易な開錠防止具２が実現されている。
【００８３】
側面部領域１４１及び側面部領域１４２には、それぞれ、固定領域２１１及び固定領域２１２が連設されている。そして、箱体１０においては、固定領域２１１のスリット２１１ａと固定領域２１２のスリット２１２ａとが互いに係合することにより、側面部領域１４１と側面部領域１４２とが互いに固定される。これにより、粘着テープ等を用いなくても、側面部領域１４１及び側面部領域１４２が立設した状態を確実に維持することができる。
【００８４】
箱体１０においては、固定領域２１１及び固定領域２１２が側面部領域１４３の外面に重なる。これにより、側面部領域１４３は、固定領域２１１，２１２によって外側から支持される。このため、側面部領域１４３が立設した状態を確実に維持することができる。
【００８５】
板状部材２００は、固定領域２１３を有している。そして、箱体１０においては、爪２１３ａ，２１３ｂが側面部領域１４１と側面被覆領域１９１との間に挿入されることにより、側面部領域１４１と側面部領域１４２とが互いに固定される。これにより、粘着テープ等を用いなくても、側面部領域１４１及び側面部領域１４２が立設した状態を確実に維持することができる。開錠防止具２のその他の効果は、開錠防止具１と同様である。
（第３実施形態）
【００８６】
図２１は、本発明による開錠防止具の第３実施形態を示す平面図である。開錠防止具３は、扉の錠前が開くのを防止する開錠防止具であって、サムターンが設けられた扉に取り付けられる。詳細には、開錠防止具３は、組立式の開錠防止具であって、組立後に扉に取り付けられる。図２１は、組立前の開錠防止具３を示している。
【００８７】
図２２及び図２３は、それぞれ、組立後の開錠防止具３を示す斜視図及び平面図である。また、図２４及び図２５は、それぞれ、図２３のXXIV−XXIV線及びXXV−XXV線に沿った端面図である。  
【００８８】
開錠防止具３は、図２１に示すように、板状部材３００、及び副板状部材４００（第１の副板状部材）を備えている。板状部材３００は、厚紙からなっている。板状部材３００は、所定の折り線に沿って折り曲げられることにより、図２２〜図２５に示す箱体１０を構成する。箱体１０の概略構成は、第１実施形態で説明したとおりである。
【００８９】
板状部材３００は、底部領域１２１、側面部領域１４１〜１４４、縁部領域１６１〜１６４、及び固定領域２１１，２１２，２１４，２１５を有している。これらのうち底部領域１２１、側面部領域１４１〜１４４、及び縁部領域１６１〜１６４の構成は、第１実施形態で説明したとおりである。また、固定領域２１１，２１２の構成は、第２実施形態で説明したとおりである。板状部材３００は、線対称な形状をしている。
【００９０】
固定領域２１４は、矩形状をしており、側面部領域１４１及び側面部領域１４４の双方に隣接する位置（底部領域１２１の左上）に設けられている。固定領域２１４は、側面部領域１４１の左辺に連設されている。固定領域２１４と側面部領域１４１との境界上には、谷折線Ｖ２４が設けられている。谷折線Ｖ２４は、当該境界の全体にわたって設けられている。固定領域２１４と側面部領域１４４及び縁部領域１６４との境界上には、切込線Ｃ２４が設けられている。切込線Ｃ２４は、当該境界の全体にわたって設けられている。固定領域２１４は、スリット２１４ａを有している。スリット２１４ａは、固定領域２１４の下辺から固定領域２１４の上辺に向かって延びている。
【００９１】
固定領域２１５は、矩形状をしており、側面部領域１４２及び側面部領域１４４の双方に隣接する位置（底部領域１２１の左下）に設けられている。固定領域２１５は、側面部領域１４２の左辺に連設されている。固定領域２１５と側面部領域１４２との境界上には、谷折線Ｖ２５が設けられている。谷折線Ｖ２５は、当該境界の全体にわたって設けられている。固定領域２１５と側面部領域１４４及び縁部領域１６４との境界上には、切込線Ｃ２５が設けられている。切込線Ｃ２５は、当該境界の全体にわたって設けられている。固定領域２１５は、スリット２１５ａを有している。スリット２１５ａは、固定領域２１５の下辺から固定領域２１５の上辺に向かって延びている。
【００９２】
スリット２１４ａ及びスリット２１５ａの長さの和は、側面部領域１４４の左右方向の長さ（谷折線Ｖ１１ｄと山折線Ｍ１４ｄとの間隔）に略等しい。また、スリット２１４ａと谷折線Ｖ２４との間隔、及びスリット２１５ａと谷折線Ｖ２５との間隔の和は、側面部領域１４４の上下方向の長さ（切込線Ｃ２４と切込線Ｃ２５との間隔）に略等しい。
【００９３】
箱体１０においては、固定領域２１４のスリット２１４ａと固定領域２１５のスリット２１５ａとが互いに係合することにより、側面部領域１４１と側面部領域１４２とが互いに固定される。このとき、固定領域２１４及び固定領域２１５が側面部１４（側面部領域１４４）の外面に重なる。
【００９４】
副板状部材４００は、板状部材３００とは別体に設けられており、板状部材３００と共に箱体１０を構成する。副板状部材４００の材料としても、例えば厚紙を用いることができる。副板状部材４００は、副底部領域４１０、及び側面接触領域４３１〜４３４を有している。副底部領域４１０は、矩形状をしており、箱体１０において底部領域１２１と共に底部１２を構成する。詳細には、副底部領域４１０が底部１２の上面を構成し、底部領域１２１が底部１２の下面を構成する。副底部領域４１０の上下方向の長さ及び左右方向の長さは、それぞれ、底部領域１２１の上下方向の長さ及び左右方向の長さに略等しい。
【００９５】
副底部領域４１０には、開口領域４２０（副開口領域）が設けられている。開口領域４２０は、箱体１０において開口領域１３１と共に穴２０を構成する。開口領域４２０は、開口領域１３１と略同一の形状及び大きさを有している。本実施形態において開口領域４２０には、２つのフラップ部４２０ａ（副フラップ部）が設けられている。組立前、開口領域４２０は、これらのフラップ部４２０ａによって閉塞された状態にある。
【００９６】
フラップ部４２０ａは、略直角に折り曲げられることにより、箱体１０において穴２０の内周面を構成する。詳細には、開口領域４２０の短辺上に切込線Ｃ４１ａ，Ｃ４１ｂが設けられるとともに、切込線Ｃ４１ａの中点と切込線Ｃ４１ｂの中点とを結ぶように切込線Ｃ４１ｃが設けられている。また、開口領域４２０の長辺上には、山折線Ｍ４１ａ，Ｍ４１ｂが設けられている。組立時、切込線Ｃ４１ａ，Ｃ４１ｂ，Ｃ４１ｃに沿って切目が入った状態で、山折線Ｍ４１ａ，Ｍ４１ｂを略直角に山折りすることにより、開口領域４２０に開口が形成される。
【００９７】
副底部領域４１０の各辺には、側面接触領域４３１〜４３４が連設されている。これらの側面接触領域４３１〜４３４は、箱体１０において側面部１４の内面に接触する。具体的には、副底部領域４１０の上辺、下辺、右辺及び左辺に、それぞれ、側面接触領域４３１、側面接触領域４３２、側面接触領域４３３及び側面接触領域４３４が連設されている。副底部領域４１０と側面接触領域４３１との境界上には、山折線Ｍ４３ａが設けられている。副底部領域４１０と側面接触領域４３２との境界上には、山折線Ｍ４３ｂが設けられている。副底部領域４１０と側面接触領域４３３との境界上には、山折線Ｍ４３ｃが設けられている。また、副底部領域４１０と側面接触領域４３４との境界上には、山折線Ｍ４３ｄが設けられている。
【００９８】
図２６及び図２７を参照しつつ、開錠防止具３の組立方法の一例を説明する。まず、山折線Ｍ１１ａ，Ｍ１１ｂ，Ｍ４１ａ，Ｍ４１ｂを略直角に山折りすることにより、開口領域１３１及び開口領域４２０に開口を形成する。そして、側面部領域１４１〜１４４が底部領域１２１に対して起きるように、谷折線Ｖ１１ａ，Ｖ１１ｂ，Ｖ１１ｃ，Ｖ１１ｄを直角に谷折りする。また、山折線Ｍ１４ａ，Ｍ１４ｂ，Ｍ１４ｃ，Ｍ１４ｄを直角に山折りする。これにより、図２６に示すように、側面部領域１４１〜１４４が立設した状態となる。
【００９９】
次に、固定領域２１１のスリット２１１ａと固定領域２１２のスリット２１２ａとを係合させながら、谷折線Ｖ２１，Ｖ２２を直角に谷折りする。同様に、固定領域２１４のスリット２１４ａと固定領域２１５のスリット２１５ａとを係合させながら、谷折線Ｖ２４，Ｖ２５を直角に谷折りする。これにより、図２７に示すように、固定領域２１１，２１２，２１４，２１５を介して側面部領域１４１と側面部領域１４２とが互いに固定された状態となる。
【０１００】
続いて、副板状部材４００の山折線Ｍ４３ａ，Ｍ４３ｂ，Ｍ４３ｃ，Ｍ４３ｄを直角に山折りする。その後、側面接触領域４３１，４３２，４３３，４３４がそれぞれ側面部領域１４１，１４２，１４３，１４４の内面に接触するように、箱状に組み立てられた板状部材３００内に副板状部材４００を入れる。このとき、副底部領域４１０が底部領域１２１と平行になるようにする。以上により、開錠防止具３が得られる。
【０１０１】
開錠防止具３の効果を説明する。開錠防止具３においては、折り線に沿って板状部材３００を折り曲げることにより、箱体１０が得られる。箱体１０の底部１２には、穴２０が存在する。穴２０にサムターンの摘み部が嵌合することにより、当該サムターンの回転が阻止されるため、錠前が開くのを防止することができる。しかも、底部１２の穴２０にサムターンの摘み部が嵌まるように当該サムターンを箱体１０で覆うだけで、開錠防止具３を正しい位置に取り付けることができる。このため、扉への取付時の位置合わせを容易に行うことができる。したがって、扉への取付時の位置合わせが容易な開錠防止具３が実現されている。
【０１０２】
開錠防止具３においては、底部１２の上面を構成する副底部領域４１０を有する副板状部材４００が設けられている。この場合、副板状部材４００が設けられていない場合に比して、底部１２の厚み、ひいては穴２０の深さを大きくすることができる。これにより、サムターンの摘み部に対する穴２０の接触面積が大きくなり、サムターンの回転を一層確実に阻止できるようになる。
【０１０３】
副板状部材４００は、板状部材３００とは別体に設けられている。これにより、副板状部材４００は、箱体１０内を上下動することが可能である。すなわち、箱体１０において底部１２から上面（開口面）までの距離ｄ１（図２４及び図２５参照）は、可変である。このため、サムターンの基底部の厚み（扉板から摘み部までの距離）に合わせて距離ｄ１を調整することにより、基底部の厚みが異なる様々なサムターンに対して開錠防止具３を適合させることができる。
【０１０４】
開口領域４２０には、フラップ部４２０ａが設けられている。この場合、フラップ部４２０ａが設けられていない場合に比して、サムターンの摘み部に対する穴２０の接触面積が大きくなるため、サムターンの回転を一層確実に阻止できるようになる。ただし、フラップ部４２０ａを設けることは、必須でない。
【０１０５】
側面部領域１４１及び側面部領域１４２には、それぞれ、固定領域２１４及び固定領域２１５が連設されている。そして、箱体１０においては、固定領域２１４のスリット２１４ａと固定領域２１５のスリット２１５ａとが互いに係合することにより、側面部領域１４１と側面部領域１４２とが互いに固定される。これにより、粘着テープ等を用いなくても、側面部領域１４１及び側面部領域１４２が立設した状態を確実に維持することができる。
【０１０６】
箱体１０においては、固定領域２１４及び固定領域２１５が側面部領域１４４の外面に重なる。これにより、側面部領域１４４は、固定領域２１４，２１５によって外側から支持される。このため、側面部領域１４４が立設した状態を確実に維持することができる。
【０１０７】
板状部材３００は、線対称な形状をしている。これにより、板状部材３００の美観を高めることができる。また、組立時に対称的な動作が増えるため、組立作業が簡易になる。開錠防止具３のその他の効果は、開錠防止具１，２と同様である。
【０１０８】
本発明は、上記実施形態に限定されるものではなく、様々な変形が可能である。上記実施形態においては、箱体１０の縁部１６（縁部領域１６１〜１６４等）に粘着手段が設けられた場合を例示した。しかし、粘着手段に代えて、あるいは粘着手段と共に、磁石が設けられていてもよい。その場合、当該磁石の磁力により、縁部１６をスチール製の扉板に固着することができる。
【０１０９】
上記実施形態においては、板状部材１００，２００，３００が厚紙からなる場合を例示した。しかし、板状部材１００，２００，３００の材料としては、折曲げ可能でかつ折曲げ後の形状を維持できる程度の剛性を有するものである限り、厚紙以外の材料を用いてもよい。かかる材料としては、例えばプラスチックが挙げられる。
【０１１０】
上記実施形態においては、各切込線に予め切目が入っている場合を例示した。しかし、切込線の両側に力を加えたときに初めて当該切込線に切目が入るように構成されていてもよい。かかる構成は、例えば、切込線上にミシン目を形成しておくことにより実現することができる。
【０１１１】
上記実施形態においては、穴２０の平面形状が長方形である場合を例示した。しかし、サムターンの回動を規制しうる限り、穴２０の平面形状は、任意である。例えば、穴２０は、図２８に示すように、平面視で十字型をしていてもよい。同図において穴２０は、長方形部２２ａ（第１の長方形部）及び長方形部２２ｂ（第２の長方形部）からなっている。長方形部２２ａは、第１の方向（同図の左右方向）を長手方向としている。他方、長方形部２２ｂは、第１の方向に直交する第２の方向（同図の上下方向）を長手方向としている。長方形部２２ａ及び長方形部２２ｂは、相異なる長さを有している。具体的には、長方形部２２ａの長さの方が、長方形部２２ｂの長さよりも大きい。また、長方形部２２ａ及び長方形部２２ｂは、相異なる幅を有している。具体的には、長方形部２２ａの幅の方が、長方形部２２ｂの幅よりも大きい。
【０１１２】
かかる構成の場合、開錠防止具を取り付ける向きを選択しうるという利点がある。すなわち、長方形部２２ａの長手方向がサムターンの摘み部と平行になるように開錠防止具を取り付けることも、長方形部２２ｂの長手方向が摘み部と平行になるように開錠防止具を取り付けることも可能となる。これにより、開錠防止具の取付けの自由度が向上する。また、長方形部２２ａ及び長方形部２２ｂが相異なる長さを有していることにより、摘み部の長さが異なる様々なサムターンに対して開錠防止具を適合させることができる。同様に、長方形部２２ａ及び長方形部２２ｂが相異なる幅を有していることにより、摘み部の幅が異なる様々なサムターンに対して開錠防止具を適合させることができる。
【０１１３】
上記実施形態においては、底部１２に穴２０が１つだけ設けられた場合を例示した。しかし、底部１２には、図２９に示すように、複数の穴２０が設けられていてもよい。その場合、複数の穴２０のうち少なくとも２つは、相異なる長さを有していてもよい。また、複数の穴２０のうち少なくとも２つは、相異なる幅を有していてもよい。図２９においては、３つの穴２０が設けられている。同図において真ん中に位置する穴２０の長さ及び幅は、一番上に位置する穴２０の長さ及び幅よりも大きい。また、一番下に位置する穴２０の長さ及び幅は、真ん中に位置する穴２０の長さ及び幅よりも大きい。
【０１１４】
かかる構成の場合、開錠防止具を取り付ける位置を選択しうるという利点がある。すなわち、サムターンの摘み部が一番上の穴２０に嵌合するように開錠防止具を取り付けることも、真ん中の穴２０に嵌合するように開錠防止具を取り付けることも、一番下の穴２０に嵌合するように開錠防止具を取り付けることも可能となる。これにより、開錠防止具の取付けの自由度が向上する。また、複数の穴２０のうち少なくとも２つが相異なる長さを有している場合、摘み部の長さが異なる様々なサムターンに対して開錠防止具を適合させることができる。同様に、複数の穴２０のうち少なくとも２つが相異なる幅を有している場合、摘み部の幅が異なる様々なサムターンに対して開錠防止具を適合させることができる。
【０１１５】
上記実施形態において開錠防止具は、図３０に示す副板状部材５００（第２の副板状部材）を備えていてもよい。副板状部材５００は、板状部材１００，２００，３００とは別体に設けられる。副板状部材５００は、帯状をしている。副板状部材５００の材料としても、例えば厚紙を用いることができる。副板状部材５００内には、谷折線Ｖ５１ａ，Ｖ５１ｂ，Ｖ５１ｃ，Ｖ５１ｄが設けられている。これらの谷折線Ｖ５１ａ，Ｖ５１ｂ，Ｖ５１ｃ，Ｖ５１ｄは、副板状部材５００の長手方向と直交している。谷折線Ｖ５１ａと副板状部材５００の左端との間隔、谷折線Ｖ５１ｂと谷折線Ｖ５１ｃとの間隔、及び谷折線Ｖ５１ｄと副板状部材５００の右端との間隔は、何れも、穴２０の短辺の長さに略等しい。また、谷折線Ｖ５１ａと谷折線Ｖ５１ｂとの間隔、及び谷折線Ｖ５１ｃと谷折線Ｖ５１ｄとの間隔は、何れも、穴２０の長辺の長さに略等しい。
【０１１６】
副板状部材５００は、図３１に示すように、所定の折り線（谷折線Ｖ５１ａ，Ｖ５１ｂ，Ｖ５１ｃ，Ｖ５１ｄ）に沿って折り曲げられることにより環状となる。環状に折り曲げられた副板状部材５００は、図３２に示すように、穴２０の内周面に沿って隙間なく配置されるとともに、サムターンの摘み部９３と嵌合する。このように穴２０内に副板状部材５００が配置された状態で開錠防止具を扉に取り付けることにより、穴２０と摘み部９３との間に副板状部材５００が介在することになる。かかる副板状部材５００を用いることにより、穴２０と摘み部９３との間の隙間の大きさを調整することができる。このため、摘み部の大きさが異なる様々なサムターンに対して開錠防止具を適合させることができる。
【符号の説明】
【０１１７】
１  開錠防止具
２  開錠防止具
３  開錠防止具
１０  箱体
１２  底部
１４  側面部
１６  縁部
２０  穴
２２ａ  長方形部（第１の長方形部）
２２ｂ  長方形部（第２の長方形部）
９０  扉
９２  サムターン
９３  摘み部
１００  板状部材
１２１  底部領域（第１の底部領域）
１２２  底部領域（第２の底部領域）
１２３  底部領域（第３の底部領域）
１３１  開口領域（第１の開口領域）
１３１ａ  フラップ部（第１のフラップ部）
１３２  開口領域（第２の開口領域）
１３２ａ  フラップ部（第２のフラップ部）
１３３  開口領域（第３の開口領域）
１３３ａ  フラップ部（第３のフラップ部）
１４１  側面部領域（第１の側面部領域）
１４２  側面部領域（第２の側面部領域）
１４３  側面部領域（第３の側面部領域）
１４４  側面部領域（第４の側面部領域）
１６１〜１６４  縁部領域
１８１，１８２  補強領域
１８１ａ，１８２ａ  切欠部
１８１ｂ，１８２ｂ  舌片
１９１  側面被覆領域
２００  板状部材
２１１  固定領域（第１の固定領域）
２１１ａ  スリット（第１のスリット）
２１２  固定領域（第２の固定領域）
２１２ａ  スリット（第２のスリット）
２１３  固定領域
２１３ａ，２１３ｂ  爪
２１４  固定領域
２１４ａ  スリット
２１５  固定領域
２１５ａ  スリット
３００  板状部材
４００  副板状部材（第１の副板状部材）
４１０  副底部領域
４２０  開口領域（副開口領域）
４２０ａ  フラップ部（副フラップ部）
４３１〜４３４  側面接触領域
５００  副板状部材（第２の副板状部材）
【図１】
0006379167.tif 000002
【図２】
0006379167.tif 000003
【図３】
0006379167.tif 000004
【図４】
0006379167.tif 000005
【図５】
0006379167.tif 000006
【図６】
0006379167.tif 000007
【図７】
0006379167.tif 000008
【図８】
0006379167.tif 000009
【図９】
0006379167.tif 000010
【図１０】
0006379167.tif 000011
【図１１】
0006379167.tif 000012
【図１２】
0006379167.tif 000013
【図１３】
0006379167.tif 000014
【図１４】
0006379167.tif 000015
【図１５】
0006379167.tif 000016
【図１６】
0006379167.tif 000017
【図１７】
0006379167.tif 000018
【図１８】
0006379167.tif 000019
【図１９】
0006379167.tif 000020
【図２０】
0006379167.tif 000021
【図２１】
0006379167.tif 000022
【図２２】
0006379167.tif 000023
【図２３】
0006379167.tif 000024
【図２４】
0006379167.tif 000025
【図２５】
0006379167.tif 000026
【図２６】
0006379167.tif 000027
【図２７】
0006379167.tif 000028
【図２８】
0006379167.tif 000029
【図２９】
0006379167.tif 000030
【図３０】
0006379167.tif 000031
【図３１】
0006379167.tif 000032
【図３２】
0006379167.tif 000033